(57)【要約】      （修正有）【課題】無線通信の品質を保ち、効率よく携帯電子機器の充電を行うことができる携帯電子機器及び充電システムを提供する。【解決手段】システムＳは、電磁波を介して電力を送電する複数のコイルを備える充電器ＢＣ及び、コイルから送電される電力を受電する受電部と、基地局と通信を行う通信ユニットと、受電部が電力を受電しているときの、通信ユニットの基地局との通信品質の情報を記憶するストレージと、を備えるスマートフォン１を含むシステムＳであって、スマートフォン１は、ストレージに記憶された通信品質の情報に基づいて、複数のコイルのうち、いずれのコイルを用いて送電するかの組み合わせを選択し、充電器ＢＣは、スマートフォン１からの選択に基づいて、コイルによる電力の送電を行う。【選択図】図６
2013198050.tif 000002
【特許請求の範囲】
【請求項１】
電磁波を介して電力を送電する複数の送電部を備える充電器及び、
前記送電部から送電される電力を受電する受電部と、基地局と通信を行う通信部と、前記受電部が電力を受電しているときの、前記通信部の前記基地局との通信品質の情報を記憶する記憶部と、を備える携帯電子機器、
を含むシステムであって、
前記携帯電子機器は、
前記記憶部に記憶された前記通信品質の情報に基づいて、前記複数の送電部のうち、いずれの送電部を用いて送電するかの組み合わせを選択し、
前記充電器は、
前記携帯電子機器からの前記選択に基づいて、前記送電部による電力の送電を行う
システム。
【請求項２】
前記携帯電子機器は、前記通信品質が所定基準以上となる前記送電部の組み合わせを選択する
請求項１に記載のシステム。
【請求項３】
前記携帯電子機器は、前記通信品質が前記所定基準以上となる前記送電部の組み合わせが複数ある場合、最も通信品質のよい組み合わせを選択する
請求項２に記載のシステム。
【請求項４】
前記携帯電子機器は、前記通信品質が前記所定基準以上となる前記送電部の組み合わせがない場合、当該所定基準未満の通信品質の組み合わせのうち、最も通信品質のよい組み合わせを選択する
請求項２又は３に記載のシステム。
【請求項５】
前記携帯電子機器は、前記通信品質が前記所定基準以上となる前記送電部の組み合わせがない場合、前記通信品質が悪い旨を報知する報知部を備える
請求項２から４のいずれか１項に記載のシステム。
【請求項６】
前記携帯電子機器は、前記通信品質が前記所定基準以上となる前記送電部の組み合わせがない場合、前記送電部からの電力の送電量を減らすよう前記充電器に指示する
請求項４又は５に記載のシステム。
【請求項７】
電磁波を介して電力を送電する複数の送電部を備える充電器及び、
前記送電部から送電される電力を受電する受電部と、基地局と通信を行う通信部と、前記受電部が電力を受電しているときの、前記通信部の前記基地局との通信品質の情報を記憶する記憶部と、を備える携帯電子機器、
を含むシステムであって、
前記携帯電子機器は、
前記受電部における電力の充電効率及び前記記憶部に記憶された前記通信品質の情報に基づいて、前記複数の送電部のうち、いずれの送電部を用いて送電するかの組み合わせを選択し、
前記充電器は、
前記携帯電子機器からの前記選択に基づいて、前記送電部による電力の送電を行う
システム。
【請求項８】
前記携帯電子機器は、前記充電効率が所定効率以上であって且つ前記通信品質が所定基準以上となる前記送電部の組み合わせを選択する
請求項７に記載のシステム。
【請求項９】
前記携帯電子機器は、前記充電効率が前記所定効率以上であって且つ前記通信品質が前記所定基準以上となる送電部の組み合わせが複数ある場合、前記組み合わせのうち最も通信品質のよい組み合わせを選択する
請求項８に記載のシステム。
【請求項１０】
前記携帯電子機器は、前記充電効率が前記所定効率以上であって且つ前記通信品質が前記所定基準以上となる送電部の組み合わせが複数ある場合、前記組み合わせのうち最も充電効率のよい組み合わせを選択する
請求項８に記載のシステム。
【請求項１１】
前記携帯電子機器は、前記充電効率が所定効率以上であって且つ前記通信品質が所定基準以上となる送電部の組み合わせがない場合には、当該所定基準未満の通信品質の組み合わせのうち、最も通信品質のよい組み合わせを選択する
請求項７から１０のいずれか１項に記載のシステム。
【請求項１２】
前記携帯電子機器は、前記充電効率が所定効率以上であって且つ前記通信品質が所定基準以上となる組み合わせがない場合、前記通信品質が悪い旨を報知する報知部を備える
請求項７から１１のいずれか１項に記載のシステム。
【請求項１３】
電磁波を介して電力を送電する複数の送電部を備える充電器及び、
前記送電部から送電される電力を受電する受電部と、基地局と通信を行う通信部と、前記受電部が電力を受電しているときにおける前記通信部の前記基地局との通信品質の情報を記憶する記憶部と、を備える携帯電子機器、
を含むシステムであって、
前記携帯電子機器は、
前記記憶部に記憶された前記通信品質の情報を前記充電器に送信し、
前記充電器は、
前記携帯電子機器からの前記情報に基づいて、前記送電部による電力の送電を行う
システム。
【請求項１４】
電磁波を介して電力を送電する複数の送電部を備える充電器及び、
前記送電部から送電される電力を受電する受電部と、基地局と通信を行う通信部と、前記受電部が電力を受電しているときにおける前記通信部の前記基地局との通信品質の情報を記憶する記憶部と、を備える携帯電子機器、
を含むシステムであって、
前記携帯電子機器は、
前記受電部における電力の充電効率及び前記記憶部に記憶された前記通信品質の情報を前記充電器に対して送信し、
前記充電器は、
前記携帯電子機器からの前記情報に基づいて、前記送電部による電力の送電を行う
システム。
【請求項１５】
複数の送電部を備える充電器から電磁波を介して送電される電力を受電する受電部と、
基地局と通信を行う通信部と、
前記受電部が電力を受電しているときの、前記通信部の前記基地局との通信品質の情報を記憶する記憶部と、
前記記憶部に記憶された前記通信品質の情報に基づいて、前記複数の送電部のうち、いずれの送電部を用いて送電するかの組み合わせを選択する制御部と、
前記制御部によって選択された組み合わせを充電器に送信する送信部と、
を備える
携帯電子機器。
【請求項１６】
複数の送電部を備える充電器から電磁波を介して送電される電力を受電する受電部と、
基地局と通信を行う通信部と、
前記受電部が電力を受電しているときの、前記通信部の前記基地局との通信品質の情報を記憶する記憶部と、
前記受電部における電力の充電効率及び前記記憶部に記憶された前記通信品質の情報に基づいて、前記複数の送電部のうち、いずれの送電部を用いて送電するかの組み合わせを選択する制御部と、
前記制御部によって選択された組み合わせを充電器に送信する送信部と、を備える
携帯電子機器。
【発明の詳細な説明】
【技術分野】
【０００１】
本発明は、携帯電子機器、充電システムに関する。特に、本発明は、タッチスクリーンディスプレイを有する携帯電子機器、その携帯電子機器と充電器とから構成される充電システムに関する。
【背景技術】
【０００２】
タッチスクリーンディスプレイを備える携帯電子機器が知られている。タッチスクリーンディスプレイを備える携帯電子機器には、例えば、スマートフォン及びタブレットが含まれる。タッチスクリーンディスプレイを備える携帯電子機器は、タッチスクリーンディスプレイを介して指又はスタイラスペンのジェスチャを検出する。そして、タッチスクリーンディスプレイを備える携帯電子機器は、検出したジェスチャに従って動作する。検出したジェスチャに従った動作の例は、例えば、特許文献１に記載されている。
【０００３】
タッチスクリーンディスプレイを備える携帯電子機器の基本的な動作は、携帯電子機器に搭載されるＡｎｄｒｏｉｄ（登録商標）、ＢｌａｃｋＢｅｒｒｙ（登録商標）  ＯＳ、Ｓｙｍｂｉａｎ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
ところで、このような携帯電子機器では、電磁誘導作用を利用して、充電器との電気接点を持たずに非接触充電を行うことが提案されている。この充電器は、複数のコイルを備えており、少なくとも１つのコイルに電流を流して電磁波を発生させることによって携帯電子機器に電力を供給する。
【０００６】
充電器の充電面が携帯電子機器に比べて十分に広い場合、当該充電面における携帯電子機器の位置が都度変更されるため、携帯電子機器の充電効率を高めるためには、充電器に備えられている複数のコイルに電流を流して、充電面全体で電磁波を発生させる必要がある。しかしながら、充電面全体で電磁波を発生させると、携帯電子機器の充電に関与しないコイルに対しても電流が流れることになり、無駄が生じてしまう。また、電磁波は、携帯電子機器の無線通信に対するノイズとなり、無線通信の品質の低下につながる。
【０００７】
本発明は、無線通信の品質を保ち、効率よく携帯電子機器の充電を行うことができる携帯電子機器及び充電システムを提供することを目的とする。
【課題を解決するための手段】
【０００８】
本発明に係るシステムは、電磁波を介して電力を送電する複数の送電部を備える充電器及び、前記送電部から送電される電力を受電する受電部と、基地局と通信を行う通信部と、前記受電部が電力を受電しているときの、前記通信部の前記基地局との通信品質の情報を記憶する記憶部と、を備える携帯電子機器、を含むシステムであって、前記携帯電子機器は、前記記憶部に記憶された前記通信品質の情報に基づいて、前記複数の送電部のうち、いずれの送電部を用いて送電するかの組み合わせを選択し、前記充電器は、前記携帯電子機器からの前記選択に基づいて、前記送電部による電力の送電を行う。
システム。
【０００９】
また、本発明に係るシステムでは、前記携帯電子機器は、前記通信品質が所定基準以上となる前記送電部の組み合わせを選択することが好ましい。
【００１０】
また、本発明に係るシステムでは、前記携帯電子機器は、前記通信品質が前記所定基準以上となる前記送電部の組み合わせが複数ある場合、最も通信品質のよい組み合わせを選択することが好ましい。
【００１１】
また、本発明に係るシステムでは、前記携帯電子機器は、前記通信品質が前記所定基準以上となる前記送電部の組み合わせがない場合、当該所定基準未満の通信品質の組み合わせのうち、最も通信品質のよい組み合わせを選択することが好ましい。
【００１２】
また、本発明に係るシステムでは、前記携帯電子機器は、前記通信品質が前記所定基準以上となる前記送電部の組み合わせがない場合、前記通信品質が悪い旨を報知する報知部を備えることが好ましい。
【００１３】
また、本発明に係るシステムでは、前記携帯電子機器は、前記通信品質が前記所定基準以上となる前記送電部の組み合わせがない場合、前記送電部からの電力の送電量を減らすよう前記充電器に指示することが好ましい。
【００１４】
本発明に係るシステムは、電磁波を介して電力を送電する複数の送電部を備える充電器及び、前記送電部から送電される電力を受電する受電部と、基地局と通信を行う通信部と、前記受電部が電力を受電しているときの、前記通信部の前記基地局との通信品質の情報を記憶する記憶部と、を備える携帯電子機器、を含むシステムであって、前記携帯電子機器は、前記受電部における電力の充電効率及び前記記憶部に記憶された前記通信品質の情報に基づいて、前記複数の送電部のうち、いずれの送電部を用いて送電するかの組み合わせを選択し、前記充電器は、前記携帯電子機器からの前記選択に基づいて、前記送電部による電力の送電を行う。
【００１５】
また、本発明に係るシステムでは、前記携帯電子機器は、前記充電効率が所定効率以上であって且つ前記通信品質が所定基準以上となる前記送電部の組み合わせを選択することが好ましい。
【００１６】
また、本発明に係るシステムでは、前記携帯電子機器は、前記充電効率が前記所定効率以上であって且つ前記通信品質が前記所定基準以上となる送電部の組み合わせが複数ある場合、前記組み合わせのうち最も通信品質のよい組み合わせを選択することが好ましい。
【００１７】
また、本発明に係るシステムでは、前記携帯電子機器は、前記充電効率が前記所定効率以上であって且つ前記通信品質が前記所定基準以上となる送電部の組み合わせが複数ある場合、前記組み合わせのうち最も充電効率のよい組み合わせを選択することが好ましい。
【００１８】
また、本発明に係るシステムでは、前記携帯電子機器は、前記充電効率が所定効率以上であって且つ前記通信品質が所定基準以上となる送電部の組み合わせがない場合には、当該所定基準未満の通信品質の組み合わせのうち、最も通信品質のよい組み合わせを選択することが好ましい。
【００１９】
また、本発明に係るシステムでは、前記携帯電子機器は、前記充電効率が所定効率以上であって且つ前記通信品質が所定基準以上となる組み合わせがない場合、前記通信品質が悪い旨を報知する報知部を備えることが好ましい。
【００２０】
本発明に係るシステムは、電磁波を介して電力を送電する複数の送電部を備える充電器及び、前記送電部から送電される電力を受電する受電部と、基地局と通信を行う通信部と、前記受電部が電力を受電しているときにおける前記通信部の前記基地局との通信品質の情報を記憶する記憶部と、を備える携帯電子機器、を含むシステムであって、前記携帯電子機器は、前記記憶部に記憶された前記通信品質の情報を前記充電器に送信し、前記充電器は、前記携帯電子機器からの前記情報に基づいて、前記送電部による電力の送電を行う。
【００２１】
本発明に係るシステムは、電磁波を介して電力を送電する複数の送電部を備える充電器及び、前記送電部から送電される電力を受電する受電部と、基地局と通信を行う通信部と、前記受電部が電力を受電しているときにおける前記通信部の前記基地局との通信品質の情報を記憶する記憶部と、を備える携帯電子機器、を含むシステムであって、前記携帯電子機器は、前記受電部における電力の充電効率及び前記記憶部に記憶された前記通信品質の情報を前記充電器に対して送信し、前記充電器は、前記携帯電子機器からの前記情報に基づいて、前記送電部による電力の送電を行う。
【００２２】
本発明に係る携帯電子機器は、複数の送電部を備える充電器から電磁波を介して送電される電力を受電する受電部と、基地局と通信を行う通信部と、前記受電部が電力を受電しているときの、前記通信部の前記基地局との通信品質の情報を記憶する記憶部と、前記記憶部に記憶された前記通信品質の情報に基づいて、前記複数の送電部のうち、いずれの送電部を用いて送電するかの組み合わせを選択する制御部と、前記制御部によって選択された組み合わせを充電器に送信する送信部と、を備える。
【００２３】
本発明に係る携帯電子機器は、複数の送電部を備える充電器から電磁波を介して送電される電力を受電する受電部と、基地局と通信を行う通信部と、前記受電部が電力を受電しているときの、前記通信部の前記基地局との通信品質の情報を記憶する記憶部と、前記受電部における電力の充電効率及び前記記憶部に記憶された前記通信品質の情報に基づいて、前記複数の送電部のうち、いずれの送電部を用いて送電するかの組み合わせを選択する制御部と、前記制御部によって選択された組み合わせを充電器に送信する送信部と、を備える。
【発明の効果】
【００２４】
本発明によれば、無線通信の品質を保ち、効率よく携帯電子機器の充電を行うことができる。
【図面の簡単な説明】
【００２５】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、実施形態に係るシステムにおいて、スマートフォン１が充電されている状態を示す図である。
【図７】図７は、充電器における一部のコイルの組み合わせを説明する図である。
【図８】図８は、実施形態に係るシステムによる、受信感度優先モード時の、充電時における処理の流れを示すフローチャートである。
【図９】図９は、図８に続くフローチャートである。
【図１０】図１０は、実施形態に係るシステムによる、充電優先モード時の、充電時における処理の流れを示すフローチャートである。
【発明を実施するための形態】
【００２６】
本発明を実施するための実施形態を、図面を参照しつつ詳細に説明する。
以下では、実施形態に係るシステムを構成する携帯電子機器の一例として、スマートフォンについて説明する。
【００２７】
（実施形態）
図１から図３を参照しながら、実施形態に係るシステムを構成するスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２８】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２９】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００３０】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００３１】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００３２】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００３３】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００３４】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００３５】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００３６】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００３７】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３８】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３９】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００４０】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００４１】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００４２】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００４３】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００４４】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００４５】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００４６】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００４７】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００４８】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００４９】
図５は、スマートフォン１の構成を示すブロック図である。スマートフォン１は、表示部としてのタッチスクリーンディスプレイ２と、ボタン３と、照度センサ４と、近接センサ５と、無線通信部としての通信ユニット６と、レシーバ７と、マイク８と、ストレージ９と、制御部としてのコントローラ１０と、カメラ１２及び１３と、外部インターフェイス１４と、加速度センサ１５と、方位センサ１６と、回転検出センサ１７と、受電部１８とを有する。
【００５０】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００５１】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００５２】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００５３】
照度センサ４は、照度を検出する。例えば、照度とは、光の強さ、明るさ、輝度等である。照度センサ４は、例えば、ディスプレイ２Ａの輝度の調整に用いられる。
【００５４】
近接センサ５は、近隣の物体の存在を非接触で検出する。近接センサ５は、例えば、タッチスクリーンディスプレイ２が顔に近付けられたことを検出する。
【００５５】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００５６】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００５７】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００５８】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００５９】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００６０】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００６１】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００６２】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００６３】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００６４】
カメラ１２は、フロントフェイス１Ａに面している物体を撮影するインカメラである。カメラ１３は、バックフェイス１Ｂに面している物体を撮影するアウトカメラである。
【００６５】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００６６】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００６７】
図６は、実施形態に係るシステムＳにおいて、スマートフォン１が充電されている状態を示す図である。スマートフォン１は、図６に示されるように、充電器ＢＣの充電面に載置されると、受電部１８により充電を行う。
【００６８】
受電部１８は、１又は複数のコイルＣを備えた充電器ＢＣの充電面との電気接点を持たずに、本実施形態に係るシステムＳを構成している充電器ＢＣから、所定周波数（例えば、１００ｋＨｚ）の電磁波を受信する。そして、受電部１８は、電磁誘導を利用して充電器ＢＣから、電磁波の供給を受ける。受電部１８は、供給された電磁波を電力に変換し、図示しないバッテリーに供給する。
【００６９】
充電器ＢＣは、送信部としてのコイルＣと、記憶部３１と、送電制御部３２と、を備える。
コイルＣは、図７に示すように、充電器ＢＣに複数設けられている。本実施形態では、コイルＣは、例えば２ｃｍ乃至３ｃｍの円状のコイルである。コイルＣは、送電制御部３２により電流が流されることによって電磁波を発生する。これにより、コイルＣは、このコイルＣに近接するスマートフォン１に電磁波を供給し、電力を送電する。なお、コイルＣの大きさ及び形状は、上述した大きさ及び形状に限定されるものではない。
【００７０】
複数のコイルＣそれぞれには、コイルを識別するためのコイルＩＤが関連付けられている。コイルＩＤは、例えば、英数字及び記号の組み合わせである。
記憶部３１は、複数のコイルＣのうち、一部のコイルＣにより送電を行う場合のコイルＣの組み合わせを記憶する。記憶部３１には、複数のパターンの組み合わせが記憶されている。
送電制御部３２は、コイルＣに電流を流すことで電磁波を発生させて、当該電磁波を介してスマートフォン１に電力を供給する。送電制御部３２の詳細は、後述する。
【００７１】
このように構成されるスマートフォン１と充電器ＢＣとを備えるシステムＳは、充電制御を行うことによって、無線通信の品質を保ちつつ、効率よくスマートフォン１の充電を行うことができる。以下に、具体的な構成について説明する。
【００７２】
図７は、充電器ＢＣにおける一部のコイルＣの組み合わせを説明する図である。
図７（ａ）には、６個のコイルの組み合わせＣ１が示されている。同様に、図７（ｂ）には、６個のコイルの組み合わせＣ２が示されている。これらの組み合わせのそれぞれは、記憶部３１に記憶されている組み合わせの１つを示すものである。なお、これらの組み合わせは、スマートフォン１のストレージ９に記憶されていてもよい。図７に示されるように、本実施形態では、隣り合う複数のコイルを１つの組み合わせとする。記憶部３１は、隣り合う６個のコイルの組み合わせについて、この組み合わせを識別するための組み合わせＩＤと、この組み合わせに対応するコイルＩＤとを関連付けて記憶している。組み合わせＩＤは、例えば、英数字及び記号の組み合わせである。
なお、上記コイルの組み合わせとは、上述のように、複数のコイルから６個のコイルが選択される態様に限定されるものではない。例えば、複数のコイルから２個以上選択される態様であったり、１個のコイルが選択される態様であってもよい。
【００７３】
スマートフォン１は、充電優先モードと、受信感度優先モードとを有する。充電優先モードと、受信感度優先モードとは、例えば、スマートフォン１のホーム画面から、モード設定用の画面をタッチスクリーンディスプレイ２に表示させて、ユーザからの操作を受け付けることにより切替可能である。
【００７４】
まず、受信感度優先モードの処理について説明する。
充電器ＢＣとスマートフォン１とは、充電開始時に、コイルの組み合わせから、最適な組み合わせを選択するための充電テスト処理を行う。
送電制御部３２は、スマートフォン１が充電器ＢＣに載置されると、スマートフォン１に、充電テスト処理を開始する旨を示す開始信号を送信する。続いて、送電制御部３２は、記憶部３１に記憶されている複数の組み合わせのそれぞれについて、当該組み合わせに関連付けられているコイルＩＤに基づいて一部のコイルＣに電流を流すことで、送電させる。送電制御部３２は、組み合わせに対応する一部のコイルＣに電流を流す際に、スマートフォン１に対して、当該組み合わせに関連付けられている組み合わせＩＤを送信する。送電制御部３２は、全ての組み合わせについて、コイルＣによる送電が完了すると、スマートフォン１に、充電テスト処理を終了する旨を示す終了信号を送信する。
【００７５】
なお、組み合わせＩＤの送信は、コイルＣと、受電部１８を構成するコイルとによって行われるものとする。この場合、コイルＣと、受電部１８を構成するコイルとは、例えば、１ＭＨｚの周波数による振幅偏移変調通信を行うことによって、組み合わせＩＤの送受信を行う。
また、コイルＣは、組み合わせＩＤ以外に、コイルＣが電磁波として出力した電力の電力値の情報も、受電部１８に対して送信する。
【００７６】
コントローラ１０は、受電部１８を介して、充電器ＢＣから組み合わせＩＤ及び電力の電力値の情報を受信する。コントローラ１０は、組み合わせＩＤに対応する組み合わせに基づいて、一部のコイルＣによる送電が行われている場合において、通信ユニット６における無線通信の品質と、スマートフォン１における充電効率とを測定する。コントローラ１０は、組み合わせＩＤと測定結果とを関連付けて、ストレージ９に一時記憶する。コントローラ１０は、受信電波環境（Ｅｃ／Ｉｏ又はＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度））を測定することで、無線通信の品質を測定し、これらＥｃ／Ｉｏ又はＲＳＳＩの値が所定値以上か否かで、無線通信の品質が所定基準を満たすか否かを判断する。
【００７７】
コントローラ１０は、充電器ＢＣから終了信号を受信すると、ストレージ９に一時記憶されている測定結果を参照し、無線通信の品質が所定基準を満たし、且つ、充電効率が最も高い組み合わせを特定する。以下、この組み合わせを最良組み合わせという。続いて、コントローラ１０は、最良組み合わせに対応する組み合わせＩＤを指示情報として、受電部１８を構成するコイルを介して充電器ＢＣに送信する。
【００７８】
なお、本願発明における充電効率は、［スマートフォン１が受電或いは充電した電力値］÷［充電器ＢＣから送電される電力値］という式にて算出される。
「スマートフォン１が受電した電力値」は、例えば、受電部１８が受電した電力の電力値、受電部１８が電力を受電した場合におけるスマートフォン１のバッテリー端子において計測される電力値、又は受電部１８における電力損失が加味された電力値等であればよい。
また、「充電器ＢＣから送電される電力値」は、例えば、コイルＣから発せられる電磁波の電力値、スマートフォン１から充電器ＢＣに対して送電を要求する電力値等であればよい。
すなわち、充電効率は、「実際にスマートフォン１が受電した電力値」のうちの１つの電力値、「充電器ＢＣから送電される電力値」のうちの１つの電力値がそれぞれ選択されることによって、上記した式に基づいて算出される。
また、充電効率は、電力値に基づいて算出されることとしたが、これに限らず、例えば、電圧値又は電流値に基づいて算出されるようにしてもよい。
【００７９】
送電制御部３２は、スマートフォン１から、最良組み合わせに対応する組み合わせＩＤを受信する。続いて、送電制御部３２は、この組み合わせＩＤに関連付けられたコイルＩＤに対応するコイルＣに電流を流す制御を行って、当該コイルＣに送電させる。
【００８０】
したがって、システムＳは、無線通信の品質が所定基準を満たし、且つ、充電効率が最も高い組み合わせに対応するコイルＣによって送電を行う。これによって、充電器ＢＣは、スマートフォン１の充電に不要と考えられるコイルＣに対して電流を流すことなく送電を行うことができる。これにより、充電に不要と考えられるコイルＣから発生する電磁波が低減されるので、無線通信のノイズの発生が低減される。よって、システムＳは、無線通信の品質を保ちつつ、効率よくスマートフォン１の充電を行うことができる。
【００８１】
なお、組み合わせＩＤの送信は、コイルＣと、受電部１８を構成するコイルとによって行われるものとしたが、これに限られない。すなわち、充電器ＢＣとスマートフォン１とのそれぞれに対して、例えば、Ｂｌｕｅｔｏｏｔｈ（登録商標）等の近距離無線通信部を設けておく。そして、充電器ＢＣとスマートフォン１とは、この近距離無線通信部を用いて通信を行うようにしてもよい。
【００８２】
また、コントローラ１０は、Ｅｃ／Ｉｏ又はＲＳＳＩを測定することで、無線通信の品質を測定し、これらＥｃ／Ｉｏ又はＲＳＳＩの値が所定値以上か否かで、無線通信の品質が所定基準を満たすか否かを判断することとしたが、これに限られない。コントローラ１０は、通信ユニット６を介して基地局との通信を行うことでフレームエラーレート（ＦＥＲ：Ｆｒａｍｅ  Ｅｒｒｏｒ  Ｒａｔｅ）、ビットエラーレート（ＢＥＲ：Ｂｉｔ  Ｅｒｒｏｒ  Ｒａｔｅ）を測定して無線通信の品質を測定するようにしてもよい。
【００８３】
また、上述の説明では、スマートフォン１の構成と動作について説明したが、これに限られず、各構成要素を備え、操作性を向上させるための方法や、プログラムとして構成されてもよい。また、上述の説明では、充電効率が最も高い組み合わせを特定するものとしたが、例えば、所定効率以上の充電効率の組み合わせを特定するようにしてもよい。
【００８４】
コントローラ１０は、終了信号を受信した後、ストレージ９に一時記憶されている測定結果を参照し、全ての組み合わせにおいて通信ユニット６における無線通信の品質が所定基準を満たしていない場合に、充電効率が最も高い組み合わせを特定する。続いて、コントローラ１０は、特定された組み合わせを示す所定情報を充電器ＢＣに送信する。所定情報には、特定された組み合わせを示す組み合わせＩＤと、無線通信の品質が所定基準を満たしていないことを示す情報とが含まれている。
なお、コントローラ１０は、全ての組み合わせにおいて通信ユニット６における無線通信の品質が所定基準を満たしていない場合に、充電効率が最も高い組み合わせを特定する代わりに、充電効率が所定の閾値よりも大きい組み合わせの中から、通信品質が最も良い組み合わせを特定するようにしてもよい。
【００８５】
送電制御部３２は、スマートフォン１から所定情報を受信すると、所定情報に含まれている組み合わせＩＤに関連付けられたコイルＩＤに対応する複数のコイルＣに電流を流す制御を行って、当該コイルＣに電流を流して電磁波を発生させる。続いて、送電制御部３２は、当該コイルＣに流す電流の量を所定量低減することによって、複数のコイルＣにおける電磁波の供給量を低減する。
【００８６】
したがって、システムＳは、充電時において、無線通信の品質が所定基準を満たしていない場合に、スマートフォン１の充電効率が最も高い組み合わせに対応するコイルＣにおける電磁波の供給量を低減する。これにより、システムＳは、ノイズの原因となる電磁波の強さを低減して、スマートフォン１における無線通信の品質をさらに改善することができる。
【００８７】
送電制御部３２は、複数のコイルＣにおける電磁波の供給量を低減させた場合に、電磁波の供給量が低減されたことを示す通知情報をスマートフォン１に送信する。
コントローラ１０は、充電器ＢＣから通知情報を受信したことに応じて、通信ユニット６における無線通信の品質を測定する。続いて、コントローラ１０は、測定された品質が所定基準を満たしていない場合に、充電器ＢＣに所定情報を送信する。
【００８８】
続いて、送電制御部３２は、所定情報を受信したことに応じて、組み合わせに基づいて電磁波を発している複数のコイルＣに流れている電流値を測定して、電力の送電量を特定する。そして、送電制御部３２は、特定された送電量が所定値以上である場合に、これらの複数のコイルＣにおける電磁波の供給量をさらに低減する。所定値とは、スマートフォン１において充電が可能である場合の、コイルＣに流れる電流の最低値をいう。
すなわち、送電制御部３２は、スマートフォン１において、通信ユニット６の無線通信の品質が所定基準を満たしていない場合において、充電が可能な範囲内で複数のコイルＣに流れている電流値の低減を段階的に行う。そして、無線通信の品質が所定基準を満たした場合に、電流値が低減された状態を維持する。
【００８９】
したがって、送電制御部３２は、通知情報をスマートフォン１に送信することで、電磁波の供給量が低減されたことをスマートフォン１に通知することができる。送電制御部３２は、充電が可能な範囲内で複数のコイルＣに流れている電流値の低減を繰り返すので、ノイズの原因となる電磁波を低減して無線通信の品質を改善することができる。
【００９０】
送電制御部３２は、スマートフォン１から所定情報を受信して電磁波の供給量を低減した後、複数のコイルＣにおける電力の送電量が所定値未満の場合、通信ユニット６における無線通信の品質が劣化している旨を示す警告情報をスマートフォン１に送信する。
コントローラ１０は、充電器ＢＣから警告情報を受信したことに応じて、当該警告情報をタッチスクリーンディスプレイ２に表示させる。
【００９１】
したがって、送電制御部３２は、スマートフォン１の無線通信の品質が劣化している旨を、ユーザに認識させることができる。
なお、コントローラ１０は、警告情報をタッチスクリーンディスプレイ２に表示させることとしたが、これに限られない。コントローラ１０は、レシーバ７を用いて、無線通信の品質が劣化している旨を示す情報を、音声によって通知するようにしてもよい。
【００９２】
つぎに、充電優先モードの処理について説明する。
送電制御部３２は、受信感度優先モードと同様に、スマートフォン１が充電器ＢＣに載置されたことに応じて、スマートフォン１に、充電を開始する旨を示す開始信号を送信する。続いて、送電制御部３２は、記憶部３１に記憶されている複数の組み合わせのそれぞれについて、当該組み合わせに関連付けられているコイルＩＤに基づいて一部のコイルＣに電流を流すことで、送電させる。送電制御部３２は、組み合わせに対応する一部のコイルＣに電流を流す際に、スマートフォン１に対して、当該組み合わせに関連付けられている組み合わせＩＤを送信する。送電制御部３２は、全ての組み合わせについて、コイルＣによる送電が完了すると、スマートフォン１に終了信号を送信する。
【００９３】
コントローラ１０は、充電器ＢＣから組み合わせＩＤを受信する。コントローラ１０は、受信感度優先モードと同様に、各組み合わせについて、通信ユニット６における無線通信の品質と、スマートフォン１における充電効率とを測定する。コントローラ１０は、組み合わせＩＤと測定結果とを関連付けて、ストレージ９に一時記憶する。
なお、スマートフォン１における充電効率の測定方式は、上述した充電効率の測定方法と同様である。
【００９４】
コントローラ１０は、充電器ＢＣから終了信号を受信すると、ストレージ９に一時記憶されている測定結果を参照し、充電効率が最も高い組み合わせを特定する。この組み合わせを最良組み合わせという。続いて、コントローラ１０は、最良組み合わせに対応する組み合わせＩＤを充電器ＢＣに送信することによって、最良組み合わせを通知する。
【００９５】
送電制御部３２は、スマートフォン１から、最良組み合わせに対応する組み合わせＩＤを受信する。続いて、送電制御部３２は、この組み合わせＩＤに関連付けられたコイルＩＤに対応するコイルＣに電流を流す制御を行って、当該コイルＣに送電させる。
【００９６】
つぎに、システムＳによる、充電時における処理の流れについて、図８及び図９に示すフローチャートを参照しながら説明する。図８及び図９は、実施形態に係るシステムＳによる、受信感度優先モード時の、充電時における処理の流れを示すフローチャートである。
【００９７】
ステップＳＴ１において、充電器ＢＣの送電制御部３２は、充電器ＢＣにスマートフォン１が載置されたことに応じて、開始信号をスマートフォン１に送信する。具体的には、充電器ＢＣは、常に微弱の電磁波を発生させており、スマートフォン１は、この電磁波を検出すると、充電器ＢＣに、スマートフォン１が近接していることを示す情報を送信する。続いて、充電器ＢＣは、近接していることを示す情報を受信したことに応じて、スマートフォン１に開始信号を送信する。
【００９８】
ステップＳＴ２において、充電器ＢＣの送電制御部３２は、記憶部３１に記憶されているコイルＣの組み合わせに基づいて、一部のコイルＣに電磁波を発生させる。送電制御部３２は、組み合わせに対応する一部のコイルＣに電流を流す際に、スマートフォン１に対して、当該組み合わせに関連付けられている組み合わせＩＤを送信する。
【００９９】
ステップＳＴ３において、スマートフォン１のコントローラ１０は、組み合わせＩＤを受信すると、通信ユニット６の無線通信の通信品質と、充電効率とを測定する。この測定結果は、ストレージ９に一時記憶される。
【０１００】
ステップＳＴ４において、送電制御部３２は、記憶部３１に記憶されている全ての組み合わせについて、電磁波の発生による送電が行われたか否かを判定する。送電制御部３２は、この判定がＹＥＳの場合、ステップＳＴ５に処理を移す。送電制御部３２は、この判定がＮＯの場合、ステップＳＴ２に処理を移す。
【０１０１】
ステップＳＴ５において、送電制御部３２は、終了信号をスマートフォン１に送信する。
ステップＳＴ６において、コントローラ１０は、終了信号を受信したことに応じて、ストレージ９に一時記憶されている測定結果を参照し、無線通信の品質が所定基準を満たしている組み合わせがあるか否かを判定する。コントローラ１０は、この判定がＹＥＳの場合、ステップＳＴ７に処理を移す。コントローラ１０は、この判定がＮＯの場合、図９のステップＳＴ９に処理を移す。コントローラ１０は、この判定がＮＯの場合、特定された組み合わせを示す所定情報を充電器ＢＣに送信する。
【０１０２】
ステップＳＴ７において、コントローラ１０は、最良組み合わせを特定し、この最良組み合わせに対応する組み合わせ情報を充電器ＢＣに送信する。
ステップＳＴ８において、送電制御部３２は、組み合わせ情報を受信すると、この組み合わせ情報に関連付けられているコイルＩＤに対応するコイルＣに電流を流して充電を開始させる。コントローラ１０は、この処理が終了すると、本フローチャートの処理を終了させる。
【０１０３】
ステップＳＴ９において、コントローラ１０は、充電効率が最も高い組み合わせに対応する組み合わせ情報を充電器ＢＣに送信する。
ステップＳＴ１０において、送電制御部３２は、組み合わせ情報を受信すると、この組み合わせ情報に関連付けられているコイルＩＤに対応するコイルＣに電流を流して充電を開始させる。
ステップＳＴ１１において、送電制御部３２は、電流を流しているコイルＣについて、電流を低減することによって、電磁波の発生を所定量低減させる。送電制御部３２は、複数のコイルＣにおける電磁波の供給量を低減させた場合に、電磁波の供給量が低減されたことを示す通知情報をスマートフォン１に送信する。
【０１０４】
ステップＳＴ１２において、コントローラ１０は、通知情報を受信したことに応じて、通信ユニット６の無線通信の通信品質を測定し、この測定量に基づいて、通信品質が所定基準以上か否かを判定する。コントローラ１０は、この判定がＹＥＳの場合、本フローチャートを終了する。コントローラ１０は、この判定がＮＯの場合、ステップＳＴ１３に処理を移す。コントローラ１０は、この判定がＮＯの場合、充電器ＢＣに所定情報を送信する。
【０１０５】
ステップＳＴ１３において、送電制御部３２は、所定情報を受信したことに応じて、コイルＣに流れている電流値が所定値以上であるか否かを判定する。送電制御部３２は、この判定がＹＥＳの場合、ステップＳＴ１１に処理を移す。送電制御部３２は、この判定がＮＯの場合、ステップＳＴ１４に処理を移す。送電制御部３２は、この判定がＮＯの場合、警告情報をスマートフォン１に送信する。
【０１０６】
ステップＳＴ１４において、コントローラ１０は、充電器ＢＣから警告情報を受け取ったことに応じて、タッチスクリーンディスプレイ２に警告情報を表示させる。
【０１０７】
図１０は、実施形態に係るシステムＳによる、充電優先モード時の、充電時における処理の流れを示すフローチャートである。
【０１０８】
ステップＳＴ２１からステップＳＴ２５までの処理は、図８に示すフローチャートのステップＳＴ１からステップＳＴ５までの処理と同じ処理であるので、説明を省略する。
【０１０９】
ステップＳＴ２６において、コントローラ１０は、充電効率が最も高い組み合わせを最良組み合わせに決定し、この最良組み合わせに対応する組み合わせ情報を充電器ＢＣに送信する。
【０１１０】
ステップＳＴ２７において、送電制御部３２は、組み合わせ情報を受信すると、この組み合わせ情報に関連付けられているコイルＩＤに対応するコイルＣに電流を流して充電を開始させる。
【０１１１】
したがって、システムＳは、無線通信の品質が所定基準を満たし、且つ、充電効率が最も高い組み合わせに対応するコイルＣによって送電を行う。これによって、充電器ＢＣは、スマートフォン１の充電に不要と考えられるコイルＣに対して電流を流すことなく送電を行うことができる。これにより、充電に不要と考えられるコイルＣから発生する電磁波を低減して、無線通信のノイズの発生を低減するので、システムＳは、無線通信の品質を保ちつつ、効率よくスマートフォン１の充電を行うことができる。システムＳは、スマートフォン１において、充電優先モードと受信感度優先モードとを切り替えることができるので、ユーザが状況に応じて、充電を優先するか、受信感度を優先するかについてユーザに選択させることができる。
【０１１２】
また、システムＳは、電磁波を介して電力を送電する複数のコイルＣを備える充電器ＢＣ及び、コイルＣから送電される電力を受電する受電部１８と、基地局と通信を行う通信ユニット６と、受電部１８が電力を受電しているときの、通信ユニット６の基地局との通信品質の情報を記憶するストレージ９と、を備えるスマートフォン１、を含むシステムＳであって、スマートフォン１は、ストレージ９に記憶された通信品質の情報に基づいて、複数のコイルＣのうち、いずれのコイルＣを用いて送電するかの組み合わせを選択し、充電器ＢＣは、スマートフォン１からの選択に基づいて、コイルＣによる電力の送電を行う。
【０１１３】
また、システムＳにおいて、スマートフォン１は、通信品質が所定基準以上となるコイルＣの組み合わせを選択する。
【０１１４】
また、システムＳにおいて、スマートフォン１は、通信品質が所定基準以上となるコイルＣの組み合わせが複数ある場合、最も通信品質のよい組み合わせを選択する。
【０１１５】
また、システムＳにおいて、スマートフォン１は、通信品質が所定基準以上となるコイルＣの組み合わせがない場合、当該所定基準未満の通信品質の組み合わせのうち、最も通信品質のよい組み合わせを選択する。
【０１１６】
また、システムＳにおいて、スマートフォン１は、通信品質が所定基準以上となるコイルＣの組み合わせがない場合、通信品質が悪い旨を報知（表示）するタッチスクリーンディスプレイ２を備える。
【０１１７】
また、システムＳにおいて、スマートフォン１は、通信品質が所定基準以上となるコイルＣの組み合わせがない場合、コイルＣからの電力の送電量を減らすよう充電器ＢＣに指示する。
【０１１８】
また、システムＳは、スマートフォン１は、電磁波を介して電力を送電する複数のコイルＣを備える充電器ＢＣ及び、コイルＣから送電される電力を受電する受電部１８と、基地局と通信を行う通信ユニット６と、受電部１８が電力を受電しているときの、通信ユニット６の基地局との通信品質の情報を記憶するストレージ９と、を備えるスマートフォン１を含むシステムＳであって、スマートフォン１は、受電部１８における電力の充電効率及びストレージ９に記憶された通信品質の情報に基づいて、複数のコイルＣのうち、いずれのコイルＣを用いて送電するかの組み合わせを選択し、充電器ＢＣは、スマートフォン１からの選択に基づいて、コイルＣによる電力の送電を行う。
【０１１９】
また、システムＳにおいて、スマートフォン１は、充電効率が所定効率以上であって且つ通信品質が所定基準以上となるコイルＣの組み合わせを選択する。
【０１２０】
また、システムＳにおいて、スマートフォン１は、充電効率が所定効率以上であって且つ通信品質が所定基準以上となるコイルＣの組み合わせが複数ある場合、組み合わせのうち最も通信品質のよい組み合わせを選択する。
【０１２１】
また、システムＳにおいて、スマートフォン１は、充電効率が所定効率以上であって且つ通信品質が所定基準以上となるコイルＣの組み合わせが複数ある場合、組み合わせのうち最も充電効率のよい組み合わせを選択する。
【０１２２】
また、システムＳにおいて、スマートフォン１は、充電効率が所定効率以上であって且つ通信品質が所定基準以上となるコイルＣの組み合わせがない場合には、当該所定基準未満の通信品質の組み合わせのうち、最も通信品質のよい組み合わせを選択する。
【０１２３】
また、システムＳにおいて、スマートフォン１は、充電効率が所定効率以上であって且つ通信品質が所定基準以上となる組み合わせがない場合、通信品質が悪い旨を報知（表示）するタッチスクリーンディスプレイ２を備える。
【０１２４】
また、システムＳは、電磁波を介して電力を送電する複数のコイルＣを備える充電器ＢＣ及び、コイルＣから送電される電力を受電する受電部１８と、基地局と通信を行う通信ユニット６と、受電部１８が電力を受電しているときにおける通信ユニット６の基地局との通信品質の情報を記憶するストレージ９と、を備えるスマートフォン１、を含むシステムであって、スマートフォン１は、ストレージ９に記憶された通信品質の情報を充電器ＢＣに送信し、充電器ＢＣは、スマートフォン１からの情報に基づいて、コイルＣによる電力の送電を行う。
【０１２５】
また、システムＳは、電磁波を介して電力を送電する複数のコイルＣを備える充電器ＢＣ及び、コイルＣから送電される電力を受電する受電部１８と、基地局と通信を行う通信ユニット６と、受電部１８が電力を受電しているときにおける通信ユニット６の基地局との通信品質の情報を記憶するストレージ９と、を備えるスマートフォン１を含むシステムＳであって、スマートフォン１は、受電部１８における電力の充電効率及びストレージ９に記憶された通信品質の情報を充電器ＢＣに対して送信し、充電器ＢＣは、スマートフォン１からの情報に基づいて、コイルＣによる電力の送電を行う。
【０１２６】
また、スマートフォン１は、複数のコイルＣを備える充電器ＢＣから電磁波を介して送電される電力を受電する受電部１８と、基地局と通信を行う通信ユニット６と、受電部１８が電力を受電しているときの、通信ユニット６の基地局との通信品質の情報を記憶するストレージ９と、ストレージ９に記憶された通信品質の情報に基づいて、複数のコイルＣのうち、いずれのコイルＣを用いて送電するかの組み合わせを選択するコントローラ１０と、コントローラ１０によって選択された組み合わせを充電器ＢＣに送信するコイルと、を備える。
【０１２７】
また、スマートフォン１は、複数のコイルＣを備える充電器ＢＣから電磁波を介して送電される電力を受電する受電部１８と、基地局と通信を行う通信ユニット６と、受電部１８が電力を受電しているときの、通信ユニット６の基地局との通信品質の情報を記憶するストレージ９と、受電部１８における電力の充電効率及びストレージ９に記憶された通信品質の情報に基づいて、複数のコイルＣのうち、いずれのコイルＣを用いて送電するかの組み合わせを選択するコントローラ１０と、コントローラ１０によって選択された組み合わせを充電器ＢＣに送信するコイルと、を備える。
【０１２８】
なお、図５においてストレージ９が記憶することとしたプログラムの一部又は全部は、通信ユニット６による無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
【０１２９】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。また、照度センサ４と近接センサ５は、別体ではなく、単一のセンサにより構成されてもよい。
【０１３０】
本発明を完全且つ明瞭に開示するために特徴的な実施例に関し記載してきた。しかし、添付の請求項に係る発明は、上記実施例に限定されるべきものでなく、本明細書に示した基礎的事項の範囲内で当該技術分野の当業者が創作しうるすべての変形例及び代替可能な構成を具現化するように構成されるべきである。
【０１３１】
例えば、図５に示した各プログラムは、複数のモジュールに分割されていてもよいし、他のプログラムと結合されていてもよい。
【０１３２】
なお、上記の実施形態では、隣り合う６個のコイルの組み合わせについて、複数のパターンを用意しておき、全てのパターンにおいて通信品質と充電効率との測定を行うことで最良組み合わせを特定することとしたがこれに限らない。記憶部３１に対して、隣り合うコイルの数が異なる複数の組み合わせを記憶させておき、送電制御部３２は、隣り合うコイルＣの数が多い組み合わせから順に送電を行うようにしてもよい。また、上述の実施形態では、スマートフォン１において組み合わせの特定（指示）を行うものとしたが、充電器ＢＣ側で、組み合わせの特定（指示）を行うようにしてもよい。
【０１３３】
また、上記の実施形態では、携帯電子機器の一例として、スマートフォンについて説明したが、添付の請求項に係る携帯電子機器は、スマートフォンに限定されない。例えば、添付の請求項に係る携帯電子機器は、電磁誘導を利用して充電器から電磁波の供給を受ける受電部を備える携帯電子機器であればよく、モバイルフォン、携帯型パソコン、デジタルカメラ、メディアプレイヤ、電子書籍リーダ、ナビゲータ、又はゲーム機等であってもよい。
【符号の説明】
【０１３４】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｄ  テーブル
９Ｅ  配置パターンデータベース
９Ｚ  設定データ
１０    コントローラ
１２、１３  カメラ
１４    外部インターフェイス
１５    加速度センサ
１６    方位センサ
１７    回転検出センサ
１８    受電部
２０    ハウジング
３１    記憶部
３２    送電制御部
【図１】
2013198050.tif 000003
【図２】
2013198050.tif 000004
【図３】
2013198050.tif 000005
【図４】
2013198050.tif 000006
【図５】
2013198050.tif 000007
【図６】
2013198050.tif 000008
【図７】
2013198050.tif 000009
【図８】
2013198050.tif 000010
【図９】
2013198050.tif 000011
【図１０】
2013198050.tif 000012